(57)【要約】【課題】単純な内部構造でグラデーション照明が可能な表示装置を提供する。【解決手段】表面を表示部５０とするフィルタ部１００、表示部５０に表示される各種操作等の内容を示す表示マークであるマーク１〜５（１１０Ａ〜１１０Ｅ）に対応してタッチ操作等により入力可能な電極部２００、光を光源からフィルタ部へ導くライトガイド３００、及び、それぞれ対応する各表示マークへ発振波長の異なる光を照射するＬＥＤ１〜５（４１０Ａ〜４１０Ｅ）が実装された基板４００から表示装置を構成し、各ＬＥＤが隣接するマークをそれぞれ対応するカラーフィルタを介して照明することで、グラデーション照明を可能とする。【選択図】図１
2012150305.tif 000002
【特許請求の範囲】
【請求項１】
複数のマークが形成され、前記複数のマークに対応してそれぞれ所定の波長領域で光を透過するカラーフィルタを備えたフィルタ部と、
前記複数のマークに対応して設けられ、少なくとも対応するカラーフィルタを透過するスペクトル分布で発光する光源と、を有し、
第１のマークのカラーフィルタの光を透過する波長の一部と、前記第１のマークに隣接する第２のマークに対応して備えられた光源のスペクトル分布の一部が、透過波長領域において重複して設定されていることを特徴とする表示装置。
【請求項２】
前記複数のマークに対応して設けられた複数のカラーフィルタの透過波長領域は、それぞれ異なる波長に設定されていることを特徴とする請求項１に記載の表示装置。
【請求項３】
前記複数のマークに対応して設けられた複数の光源のスペクトル分布は、それぞれ異なる波長に設定されていることを特徴とする請求項１又２に記載の表示装置。
【発明の詳細な説明】
【技術分野】
【０００１】
本発明は、表示装置に関する。
【背景技術】
【０００２】
従来、各種のインジケータ表示マークが透光表示板に形成され、それぞれのインジケータ表示マークを照明するための複数の光源が配設された表示装置がある。例えば、運転席前方のインストルメントパネル又はセンタークラスタ等に形成された表示窓に有底筒状のケースの開口部が臨むようにケースを装着し、このケースの開口にインジケータ表示マークが形成された透光表示板を配設すると共に、ケースの底部に上記インジケータ表示マークに光を照射する光源を配設した自動車のインジケータ表示装置がある（例えば、特許文献１参照）。
【０００３】
この表示装置は、各種のインジケータ表示マークを車両上下方向に隣接させて配列し、上記ケース内を各インジケータ表示マークごとに独立した照明室に区分けすると共に、各照明室の底部にそれぞれ光源を配置して各インジケータ表示マークを照明する。この表示装置によれば、それぞれのインジケータ表示マークを独立した照明室に区分けし、複数のインジケータ表示マークをそれぞれ対応した複数の光源で照射して表示するので、各インジケータ表示マークの視認性を確保できるとされている。
【先行技術文献】
【特許文献】
【０００４】
【特許文献１】特開２００１−９７０７５号公報
【発明の概要】
【発明が解決しようとする課題】
【０００５】
しかし、特許文献１の表示装置によれば、それぞれのインジケータ表示マークを独立に照明するために区分けするための仕切りが必要であった。また、隣接する各インジケータ表示マークの照明の演出にも限度があり、グラデーション照明等の新しい意匠の提示が難しいという問題があった。
【０００６】
そこで本発明の目的は、単純な内部構造でグラデーション照明が可能な表示装置を提供することにある。
【課題を解決するための手段】
【０００７】
［１］本発明は、上記目的を達成するため、複数のマークが形成され、前記複数のマークに対応してそれぞれ所定の波長領域で光を透過するカラーフィルタを備えたフィルタ部と、前記複数のマークに対応して設けられ、少なくとも対応するカラーフィルタを透過するスペクトル分布で発光する光源と、を有し、第１のマークのカラーフィルタの光を透過する波長の一部と、前記第１のマークに隣接する第２のマークに対応して備えられた光源のスペクトル分布の一部が、透過波長領域において重複して設定されていることを特徴とする表示装置を提供する。
【０００８】
［２］前記複数のマークに対応して設けられた複数のカラーフィルタの透過波長領域は、それぞれ異なる波長に設定されていることを特徴とする上記［１］に記載の表示装置であってもよい。
【０００９】
［３］また、前記複数のマークに対応して設けられた複数の光源のスペクトル分布は、それぞれ異なる波長に設定されていることを特徴とする上記［１］又は［２］に記載の表示装置であってもよい。
【発明の効果】
【００１０】
本発明によれば、単純な内部構造でグラデーション照明が可能な表示装置を提供することができる。
【図面の簡単な説明】
【００１１】
【図１】図１は、本発明の実施の形態に係る表示装置の構成を示す概略斜視図である。
【図２】図２は、図１においてＡから見た平面図である。
【図３】図３（ａ）は、図２のＢ部の拡大詳細図であり、（ｂ）は、（ａ）においてＣから見た平面図である。
【図４】図４（ａ）〜（ｅ）は、各マーク１〜５に対応して設けられるフィルタの透過波長領域を示すフィルタ特性図である。
【図５】図５（ａ）〜（ｅ）は、各マーク１〜５を照明するＬＥＤ１〜５のそれぞれのスペクトル分布を示す光源特性図である。
【図６】図６は、夜間照明時の照明状態を照明モードごとに示した一覧図である。
【図７】図７は、昼間照明時の照明状態を照明モードごとに示した一覧図である。
【図８】図８（ａ）は、ブルー点灯時における、波長と、フィルタ、ＬＥＤの透過率／相対光度の関係を示す関係図であり、（ｂ）は、そのときの表示部のインジケータ表示マークの見え方を模式的に示した表示部の平面図である。
【図９】図９（ａ）は、シアン点灯時における、波長と、フィルタ、ＬＥＤの透過率／相対光度の関係を示す関係図であり、（ｂ）は、そのときの表示部のインジケータ表示マークの見え方を模式的に示した表示部の平面図である。
【図１０】図１０（ａ）は、グリーン点灯時における、波長と、フィルタ、ＬＥＤの透過率／相対光度の関係を示す関係図であり、（ｂ）は、そのときの表示部のインジケータ表示マークの見え方を模式的に示した表示部の平面図である。
【図１１】図１１（ａ）は、イエロー点灯時における、波長と、フィルタ、ＬＥＤの透過率／相対光度の関係を示す関係図であり、（ｂ）は、そのときの表示部のインジケータ表示マークの見え方を模式的に示した表示部の平面図である。
【図１２】図１２（ａ）は、アンバー点灯時における、波長と、フィルタ、ＬＥＤの透過率／相対光度の関係を示す関係図であり、（ｂ）は、そのときの表示部のインジケータ表示マークの見え方を模式的に示した表示部の平面図である。
【図１３】図１３（ａ）は、温度表示を行なう他の実施形態での表示部の平面図、（ｂ）は、そのときの構成を示す図２相当図、（ｃ）は、マークの照明状態を照明モードごとに示した一覧図である。
【発明を実施するための形態】
【００１２】
［表示装置の構成］
図１は、本発明の実施の形態に係る表示装置１０の構成を示す概略斜視図である。図２は、図１においてＡ方向に見た平面図である。また、図３（ａ）は、図２のＢ部の拡大詳細図であり、（ｂ）は、（ａ）においてＣから見た平面図である。以下、図１〜３に基づいて表示装置１０の構成を説明する。
【００１３】
本発明の実施の形態に係る表示装置１０は、表面を表示部５０とするフィルタ部１００、表示部５０に表示される各種操作等の内容を示す表示マークであるマーク１〜５（１１０Ａ〜１１０Ｅ）に対応してタッチ操作等により入力可能な電極部２００、光を光源からフィルタ部へ導くライトガイド３００、及び、それぞれ対応する各表示マークへ発振波長の異なる光を照射するＬＥＤ１〜５（４１０Ａ〜４１０Ｅ）が実装された基板４００から概略構成された照明構造を有する表示装置である。
【００１４】
フィルタ部１００は、図１、３に示すように、表示部５０の側から、傷つき防止のためのコート層１０１、可視領域で光を透過する樹脂等で形成された基材であるベース１０２、各マーク１〜５（１１０Ａ〜１１０Ｅ）を表示するためのマーク印刷部１０３、各マーク１〜５（１１０Ａ〜１１０Ｅ）をそれぞれカラー表示するためのカラーフィルタ印刷部１０４Ａ〜１０４Ｅから概略構成される。尚、各マーク１〜５は、図形、記号、文字等からなる表示マークであり、表示対象の装置の動作状態や操作内容等を表示するものである。
【００１５】
ベース１０２の片面には、図１で示すように、表示部５０に表示するマーク１〜５（１１０Ａ〜１１０Ｅ）を黒色の顔料インク等で白抜き印刷してマーク印刷部１０３を形成する。すなわち、図３（ａ）、（ｂ）で示すように、表示したいマーク部分が光を透過するようにマーク部分以外の周囲に光を透過しないあるいは透過率の低いインク等で印刷を行なう。本実施の形態では、視認性をよくするために、黒色のインクで白抜き印刷してマーク印刷部１０３を形成したが、黒色以外の色を用いて印刷することができ、また、耐光性をあまり必要としない場合には染料系のインク等で印刷することもできる。
【００１６】
また、マーク印刷部１０３のマーク部分には、カラー表示のためのカラーフィルタ印刷を行なう。図３（ｂ）に示すように、例えば、マーク３（１１０Ｃ）の部分を十分に覆う程度の範囲に、カラーの透過性を有するインク等でカラーフィルタ印刷部１０４Ｃを形成する。従って、図３（ｂ）で示したマーク印刷部１０３のハッチング部と、マーク印刷部１０３とカラーフィルタ印刷部１０４Ｃが重ねて印刷されたクロスハッチング部は光をほとんど透過せず、カラー印刷されたマーク３（１１０Ｃ）の部分だけが光を透過する。
【００１７】
図４（ａ）〜（ｅ）は、各マーク１〜５に対応して設けられるフィルタの波長特性を示すフィルタ特性図である。図４（ａ）は、図１、２に示すマーク１（１１０Ａ）をブルーの色で照明するためのカラーフィルタ（バンドパスフィルタ）の波長特性である。横軸に波長（ｎｍ）、縦軸に透過率（％）として最大光度を１００％に規格化してグラフ化したものである。ブルーの色領域を透過させるように、約４４０〜４９０ｎｍの波長領域で透過率が約１００となるインク等を使用してマーク１（１１０Ａ）部分のカラーフィルタ印刷部１０４Ａを形成する。尚、上記のブルーの色に対応する波長領域は一例であり、波長の下限、上限がシフトし、また、透過スペクトルが図示したプロファイルと異なるものであっても、視覚でブルーの色を感じる波長特性のものであれば使用することができる。
【００１８】
図４（ｂ）は、図１、２に示すマーク２（１１０Ｂ）をシアンの色で照明するためのカラーフィルタ（バンドパスフィルタ）の波長特性である。横軸に波長（ｎｍ）、縦軸に透過率（％）として最大光度を１００％に規格化してグラフ化したものである。シアンの色領域を透過させるように、約４７０〜５２０ｎｍの波長領域で透過率が約１００となるインク等を使用してマーク２（１１０Ｂ）部分のカラーフィルタ印刷部１０４Ｂを形成する。尚、上記のシアンの色に対応する波長領域は一例であり、波長の下限、上限がシフトし、また、透過スペクトルが図示したプロファイルと異なるものであっても、視覚でシアンの色を感じる波長特性のものであれば使用することができる。
【００１９】
図４（ｃ）は、図１、２に示すマーク３（１１０Ｃ）をグリーンの色で照明するためのカラーフィルタ（バンドパスフィルタ）の波長特性である。横軸に波長（ｎｍ）、縦軸に透過率（％）として最大光度を１００％に規格化してグラフ化したものである。グリーンの色領域を透過させるように、約５１０〜５６０ｎｍの波長領域で透過率が約１００となるインク等を使用してマーク３（１１０Ｃ）部分のカラーフィルタ印刷部１０４Ｃを形成する。尚、上記のグリーンの色に対応する波長領域は一例であり、波長の下限、上限がシフトし、また、透過スペクトルが図示したプロファイルと異なるものであっても、視覚でグリーンの色を感じる波長特性のものであれば使用することができる。
【００２０】
図４（ｄ）は、図１、２に示すマーク４（１１０Ｄ）をイエローの色で照明するためのカラーフィルタ（バンドパスフィルタ）の波長特性である。横軸に波長（ｎｍ）、縦軸に透過率（％）として最大光度を１００％に規格化してグラフ化したものである。イエローの色領域を透過させるように、約５４０〜５９０ｎｍの波長領域で透過率が約１００となるインク等を使用してマーク４（１１０Ｄ）部分のカラーフィルタ印刷部１０４Ｄを形成する。尚、上記のイエローの色に対応する波長領域は一例であり、波長の下限、上限がシフトし、また、透過スペクトルが図示したプロファイルと異なるものであっても、視覚でイエローの色を感じる波長特性のものであれば使用することができる。
【００２１】
図４（ｅ）は、図１、２に示すマーク５（１１０Ｅ）をアンバーの色で照明するためのカラーフィルタ（バンドパスフィルタ）の波長特性である。横軸に波長（ｎｍ）、縦軸に透過率（％）として最大光度を１００％に規格化してグラフ化したものである。アンバーの色領域を透過させるように、約５８０〜６３０ｎｍの透過率で相対光度が約１００となるインク等を使用してマーク５（１１０Ｅ）部分のカラーフィルタ印刷部１０４Ｅを形成する。尚、上記のアンバーの色に対応する波長領域は一例であり、波長の下限、上限がシフトし、また、透過スペクトルが図示したプロファイルと異なるものであっても、視覚でアンバーの色を感じる波長特性のものであれば使用することができる。
【００２２】
電極部２００は、図１、２に示すように、フィルタ部１００の裏面に、各表示マークに対応した位置にそれぞれタッチセンサが配置されて構成されている。このタッチセンサは、静電容量式のタッチセンサからなり、操作者の手指の接近又は接触を検出する静電容量検出用の透明電極が印刷された透明なフィルムシートにより形成されている。その透明電極は、例えば可視光に対して透明なＩＴＯ（インジウム錫酸化物）などの金属酸化物の薄膜によりパターン状に形成されている。尚、電極部２００を設けずに、入力機能のない表示機能だけを有する表示装置１０とすることもできる。
【００２３】
ライトガイド３００は、例えば、アクリル（ＰＭＭＡ）等の可視領域で光を透過する樹脂等で形成され、ＬＥＤ１〜５（４１０Ａ〜４１０Ｅ）から照射される各光源の光をフィルタ部１００へ導く導光部材である。このライトガイド３００を用いることにより、光路を安定化でき、また、短い距離で光路長を設定できるので、安定で小型化した表示装置１０とすることができる。尚、このライトガイド３００は必須ではなく、ＬＥＤ１〜５（４１０Ａ〜４１０Ｅ）からライトガイドを介さずに、各光源の光を直接フィルタ部１００へ照射する構成としてもよい。
【００２４】
ＬＥＤ１〜５（４１０Ａ〜４１０Ｅ）は、それぞれ異なる波長（周波数）特性をもつ光源である。図５（ａ）〜（ｅ）は、各マーク１〜５を照明するＬＥＤ１〜５のそれぞれのスペクトル分布を示す光源特性図である。
【００２５】
図５（ａ）は、図１、２に示すマーク１（１１０Ａ）及びそれに隣接するマークをブルーの色で照明するためのＬＥＤ１（４１０Ａ）のスペクトル分布を示す。ＬＥＤ１（４１０Ａ）は、ピーク発振波長４７０ｎｍでブルーの色に発光する発光ダイオードである。図５（ａ）に示すスペクトル分布は一例であるが、スペクトル分布の両側の周波数領域が、図４（ｂ）で示したマーク２（１１０Ｂ）部分のカラーフィルタ印刷部１０４Ｂの透過領域（バンドパス領域）にクロスオーバーしている。これにより隣接するマーク２（１１０Ｂ）にグラデーション表示が可能となる。
【００２６】
図５（ｂ）は、図１、２に示すマーク２（１１０Ｂ）及びそれに隣接するマークをシアンの色で照明するためのＬＥＤ２（４１０Ｂ）のスペクトル分布を示す。ＬＥＤ２（４１０Ｂ）は、ピーク発振波長５００ｎｍでシアンの色に発光する発光ダイオードである。図５（ｂ）に示すスペクトル分布は一例であるが、スペクトル分布の両側の周波数領域が、図４（ａ）、（ｃ）で示したマーク１（１１０Ａ）とマーク３（１１０Ｃ）部分のカラーフィルタ印刷部１０４Ａ、１０４Ｃの透過領域（バンドパス領域）にクロスオーバーしている。これにより隣接するマーク１（１１０Ａ）とマーク３（１１０Ｃ）にグラデーション表示が可能となる。
【００２７】
図５（ｃ）は、図１、２に示すマーク３（１１０Ｃ）及びそれに隣接するマークをグリーンの色で照明するためのＬＥＤ３（４１０Ｃ）のスペクトル分布を示す。ＬＥＤ３（４１０Ｃ）は、ピーク発振波長５３０ｎｍでグリーンの色に発光する発光ダイオードである。図５（ｃ）に示すスペクトル分布は一例であるが、スペクトル分布の両側の周波数領域が、図４（ｂ）、（ｄ）で示したマーク２（１１０Ｂ）とマーク４（１１０Ｄ）部分のカラーフィルタ印刷部１０４Ｂ、１０４Ｄの透過領域（バンドパス領域）にクロスオーバーしている。これにより隣接するマーク２（１１０Ｂ）とマーク４（１１０Ｄ）にグラデーション表示が可能となる。
【００２８】
図５（ｄ）は、図１、２に示すマーク４（１１０Ｄ）及びそれに隣接するマークをイエローの色で照明するためのＬＥＤ４（４１０Ｄ）のスペクトル分布を示す。ＬＥＤ４（４１０Ｄ）は、ピーク発振波長５７０ｎｍでイエローの色に発光する発光ダイオードである。図５（ｄ）に示すスペクトル分布は一例であるが、スペクトル分布の両側の周波数領域が、図４（ｃ）、（ｅ）で示したマーク３（１１０Ｃ）とマーク５（１１０Ｅ）部分のカラーフィルタ印刷部１０４Ｃ、１０４Ｅの透過領域（バンドパス領域）にクロスオーバーしている。これにより隣接するマーク３（１１０Ｃ）とマーク５（１１０Ｅ）にグラデーション表示が可能となる。
【００２９】
図５（ｅ）は、図１、２に示すマーク５（１１０Ｅ）及びそれに隣接するマークをアンバーの色で照明するためのＬＥＤ５（４１０Ｅ）のスペクトル分布を示す。ＬＥＤ５（４１０Ｅ）は、ピーク発振波長６２０ｎｍでアンバーの色に発光する発光ダイオードである。図５（ｅ）に示すスペクトル分布は一例であるが、スペクトル分布の両側の周波数領域が、図４（ｄ）で示したマーク４（１１０Ｄ）部分のカラーフィルタ印刷部１０４Ｄの透過領域（バンドパス領域）にクロスオーバーして。これにより隣接するマーク４（１１０Ｄ）にグラデーション表示が可能となる。
【００３０】
［本発明の実施の形態の動作］
図６は、夜間照明時の照明状態を照明モードごとに示した一覧図である。また、図７は、昼間照明時の照明状態を照明モードごとに示した一覧図である。両図において、図１に示したマーク１〜マーク５の５種類のマークを空調モード（ＭＯＤＥ）として最上段に横に並べて配置した。各列には、これらの空調モード時に照明されるマーク色（照明色）、照明時の状態が欄内に記号（○△―）により記載されている。
【００３１】
（夜間照明状態）
スモールランプ、ヘッドランプ点灯等による夜間照明状態の場合、空調装置の操作表示部は図６の一覧に示すようなモードでマーク照明（マーク表示）がされる。例えば、一番左の「ＦＡＣＥ」モードを選択するために図１で示すマーク１（１１０Ａ）をタッチすると、電極部２００によるタッチ検出により、ＬＥＤ１（４１０Ａ）が点灯する。このときＬＥＤ１（４１０Ａ）は、図２に示すように、所定の放射角特性でマークを照射、照明する。図１に示すマーク１（１１０Ａ）は、主光線により強く照明され、隣接するマーク２（１１０Ｂ）も拡散した光線により照明される。
【００３２】
マーク１（１１０Ａ）が電極部２００によるタッチ検出により選択されると、ブルーのＬＥＤ１（４１０Ａ）が点灯して、表示部５０には、照明輝度・強（１０ｃｄ／ｍ２）でブルーのマーク色でマーク１（１１０Ａ）が表示される。また、隣接するマークが照明（表示）された場合、すなわち、シアンのＬＥＤ２（４１０Ｂ）が点灯した場合は、このＬＥＤ２（４１０Ｂ）の照明によって、照明輝度・弱（５ｃｄ／ｍ２）でブルーのマーク色でマーク１（１１０Ａ）が表示される。その他のマークが照明（表示）された場合は、常時照明として１ｃｄ／ｍ２の輝度でブルーのマーク色でマーク１（１１０Ａ）が表示される。夜間照明状態で各マークの視認性を確保するためである。
【００３３】
図８（ａ）は、ブルー点灯時における、波長と、フィルタ、ＬＥＤの透過率／相対光度の関係を示す関係図であり、（ｂ）は、そのときの表示部のインジケータ表示マークの見え方を模式的に示した表示部の平面図である。図８（ａ）は、図４（ａ）、（ｂ）で示したマーク１（１１０Ａ）をブルーの色で照明するためのカラーフィルタ（バンドパスフィルタ）、マーク２（１１０Ｂ）をシアンの色で照明するためのカラーフィルタ（バンドパスフィルタ）の波長特性、及び、図５（ａ）で示したブルーの色を発光するためのＬＥＤ１（４１０Ａ）のスペクトル分布（波長特性）を重ねて表示したものである。これによれば、ＬＥＤ１（４１０Ａ）が点灯してブルーの色が照射された場合は、図８（ａ）に示すようにＬＥＤ１（４１０Ａ）のスペクトル分布とブルーのカラーフィルタのバンドパス領域が略一致しているので、マーク１（１１０Ａ）はブルーの色で照明輝度・強（１０ｃｄ／ｍ２）で照明（表示）される。また、ＬＥＤ１（４１０Ａ）のスペクトル分布の周波数領域と隣接するシアンのカラーフィルタのバンドパス領域がその一部領域でクロスオーバーしているので、マーク２（１１０Ｂ）は、照明輝度・弱（５ｃｄ／ｍ２）でシアンのマーク色で照明（表示）される。また、マーク３（１１０Ｃ）〜マーク５（１１０Ｅ）は、それぞれのカラーフィルタをブルーの光が透過しないが、それぞれのマークに対応したＬＥＤ３（４１０Ｃ）〜ＬＥＤ５（４１０Ｅ）を微弱に発光させることで、１ｃｄ／ｍ２の輝度でそれぞれのマーク色で照明（表示）される。
【００３４】
図９（ａ）は、シアン点灯時における、波長と、フィルタ、ＬＥＤの透過率／相対光度の関係を示す関係図であり、（ｂ）は、そのときの表示部のインジケータ表示マークの見え方を模式的に示した表示部の平面図である。図１０（ａ）は、グリーン点灯時における、波長と、フィルタ、ＬＥＤの透過率／相対光度の関係を示す関係図であり、（ｂ）は、そのときの表示部のインジケータ表示マークの見え方を模式的に示した表示部の平面図である。図１１（ａ）は、イエロー点灯時における、波長と、フィルタ、ＬＥＤの透過率／相対光度の関係を示す関係図であり、（ｂ）は、そのときの表示部のインジケータ表示マークの見え方を模式的に示した表示部の平面図である。図１２（ａ）は、アンバー点灯時における、波長と、フィルタ、ＬＥＤの透過率／相対光度の関係を示す関係図であり、（ｂ）は、そのときの表示部のインジケータ表示マークの見え方を模式的に示した表示部の平面図である。それぞれ、上記説明したブルー点灯時における動作と同様である。すなわち、マーク色と同じ色のＬＥＤが点灯する場合は、そのマークは照明輝度・強（１０ｃｄ／ｍ２）でそのマーク色で照明（表示）される。また、そのマークに隣接したＬＥＤが点灯した場合は、そのマークは照明輝度・弱（５ｃｄ／ｍ２）でそのマーク色で照明（表示）される。また、その他のマークが照明（表示）された場合は、夜間照明状態で各マークの視認性を確保するために、常時照明として１ｃｄ／ｍ２の輝度でそのマーク色で照明（表示）される。
【００３５】
以上のように、マークは、図１、３、４で示したそのマークに対応して設けられたカラーフィルタ印刷部１０４Ａ〜１０４Ｅの色でそれぞれ照明（表示）される。そのマークが選択された場合は、そのマーク色で照明輝度・強で照明（表示）され、隣接したマークが選択された場合は、同マーク色で照明輝度・弱で照明（表示）され、その他のマークが選択された場合は、同マーク色でさらに弱い輝度の常時照明がされる。従って、マーク１（１１０Ａ）〜マーク５（１１０Ｅ）は、それぞれに対応して設けられたカラーフィルタ印刷部１０４Ａ〜１０４Ｅの色で照明（表示）され、選択されたマークを中心に照明輝度が変化するグラデーション表示となる。また、その選択されたマークを中心にして、ブルー、シアン、グリーン、イエロー、アンバーの色のグラデーション表示ともなる。
【００３６】
（昼間照明状態）
スモールランプ、ヘッドランプ等が点灯されない昼間照明状態の場合、空調装置の操作表示部は図７の一覧に示すようなモードでマーク照明（マーク表示）がされる。例えば、一番左の「ＦＡＣＥ」モードを選択するために図１で示すマーク１（１１０Ａ）をタッチすると、電極部２００によるタッチ検出により、ＬＥＤ１（４１０Ａ）が点灯する。このときＬＥＤ１（４１０Ａ）は、図２に示すように、所定の放射角特性でマークを照射、照明する。図１に示すマーク１（１１０Ａ）は、主光線により強く照明され、隣接するマーク２（１１０Ｂ）も拡散した光線により照明される。
【００３７】
マーク１（１１０Ａ）が電極部２００によるタッチ検出により選択されると、ブルーのＬＥＤ１（４１０Ａ）が点灯して、表示部５０には、照明輝度・強（４００ｃｄ／ｍ２）でブルーのマーク色でマーク１（１１０Ａ）が表示される。また、隣接するマークが照明（表示）された場合、すなわち、シアンのＬＥＤ２（４１０Ｂ）が点灯した場合は、このＬＥＤ２（４１０Ｂ）の照明によって、照明輝度・弱（２００ｃｄ／ｍ２）でブルーのマーク色でマーク１（１１０Ａ）が表示される。その他のマークが照明（表示）された場合は、照明（表示）されない。昼間は外光により各マークの視認性が確保されるからである。その他のマークの照明（表示）についても、夜間照明時と同様の動作によるので、重複する説明を省略する。
【００３８】
昼間照明状態において、マークは、図１、３、４で示したそのマークに対応して設けられたカラーフィルタ印刷部１０４Ａ〜１０４Ｅの色でそれぞれ照明（表示）される。そのマークが選択された場合は、そのマーク色で照明輝度・強で照明（表示）され、隣接したマークが選択された場合は、同マーク色で照明輝度・弱で照明（表示）される。従って、マーク１（１１０Ａ）〜マーク５（１１０Ｅ）は、それぞれに対応して設けられたカラーフィルタ印刷部１０４Ａ〜１０４Ｅの色で照明（表示）され、選択されたマークとそれに隣接するマーク間で照明輝度が変化するグラデーション表示となる。また、その選択されたマークとそれに隣接するマーク間で、色のグラデーション表示ともなる。
【００３９】
（他の実施の形態）
図１３（ａ）は、温度表示を行なう他の実施形態での表示部の平面図、（ｂ）は、そのときの構成を示す図２相当図、（ｃ）は、マークの照明状態を照明モードごとに示した一覧図である。フィルタ部１００、ライトガイド３００、及び、ＬＥＤが実装された基板４００等の構成は図１に示したものと同様である。この実施例では、マークの照明により温度表示のみを行なうものとして電極部２００を省略し、また、ＨＯＴ１〜３、ＣＯＯＬ１〜３の６種類の表示を行なうため、基板４００にはＬＥＤ１１〜１６（４２０Ａ〜４２０Ｆ）が実装されている。ＬＥＤ１１〜１６の発振波長域は、それぞれ、４５０ｎｍ〜４９０ｎｍ、４７０ｎｍ〜５１０ｎｍ、４９０ｎｍ〜５９０ｎｍ、５１０ｎｍ〜６１０ｎｍ、５９０ｎｍ〜６３０ｎｍ、６００ｎｍ〜６４０ｎｍである。
【００４０】
図１３（ｃ）において、温度表示を示すＨＯＴ１〜３、ＣＯＯＬ１〜３の６種類のマークを最上段に横に並べて配置した。各列には、これらの温度表示モードのマークに対応するカラーフィルタ透過領域、光源の波長、照明時の状態が欄内に記号（○△―）により記載されている。
【００４１】
例えば、「ＣＯＯＬ１」が表示される場合は、ＬＥＤ１３（４２０Ｃ）が点灯する。このときＬＥＤ１３（４２０Ｃ）は、所定の放射角特性でマーク「ＣＯＯＬ１」を照射、照明する。このマーク「ＣＯＯＬ１」は、主光線により強く照明され、隣接するマーク「ＣＯＯＬ２」と「ＨＯＴ１」も拡散した光線により照明される。例えば、「ＣＯＯＬ１」は照明輝度・強（１０ｃｄ／ｍ２）で照明（表示）され、隣接するマーク「ＣＯＯＬ２」と「ＨＯＴ１」は照明輝度・弱（５ｃｄ／ｍ２）で照明（表示）される。尚、この実施例では、夜間照明時を想定しているので、他のマークは、それぞれに対応して設けられたＬＥＤの微発光により１ｃｄ／ｍ２の輝度で常時照明される。
【００４２】
従って、図１３（ｃ）に示したような、カラーフィルタの透過領域及び光源の波長範囲に応じて、照明（表示）されるマークとそれに隣接するマーク間で照明輝度が変化するグラデーション表示となる。また、照明（表示）されるマークとそれに隣接するマーク間で、色のグラデーション表示ともなる。
【００４３】
［本発明の実施の形態による効果］
（１）本発明の実施の形態によれば、それぞれのマークに対応してカラーフィルタと光源を備えることにより、単純な内部構造でグラデーション照明が可能な表示装置を提供することができる。
（２）上記のように、カラーフィルタと特定のスペクトル分布を持つ光源の組合せにより、隣接するマーク間で、グラデーション照明が可能となるので、減光回路等を必要としない表示装置を提供することができる。
（３）本実施の形態によるグラデーション照明により新しい照明の演出が可能となる。
（４）現在の操作状況がマークの輝度により明らかとなるので、マーク自体にポジショニング機能が追加され、従来必要とされていたＯＮインジケータ等が不要となる。
（５）複数の色によるグラデーション照明とできるので、色によるポジション認識が可能となる。また、例えば、温度表示等では、寒色、暖色のグラデーション照明により、さらに効果的なポジション認識が可能となる。
【００４４】
以上、本発明に好適な実施の形態を説明したが、本発明はこの実施の形態に限定されるものではなく、その要旨を変更しない範囲内で種々の変形が可能である。例えば、ＬＥＤは、対応するマークを照射すると共にその隣接するマークを照射してグラデーション表示をするとしたが、さらにその先に隣接するマークを照射してグラデーション表示をすることも可能である。
【符号の説明】
【００４５】
１０…表示装置
５０…表示部
１００…フィルタ部
１０１…コート層
１０２…ベース
１０３…マーク印刷部
１０４Ａ〜１０４Ｅ…カラーフィルタ印刷部
１１０Ａ〜１１０Ｅ…マーク１〜マーク５
２００…電極部
３００…ライトガイド
４００…基板
４１０Ａ〜４１０Ｅ…ＬＥＤ１〜ＬＥＤ５
４２０Ａ〜４２０Ｆ…ＬＥＤ１１〜ＬＥＤ１６
【図１】
2012150305.tif 000003
【図２】
2012150305.tif 000004
【図３】
2012150305.tif 000005
【図４】
2012150305.tif 000006
【図５】
2012150305.tif 000007
【図６】
2012150305.tif 000008
【図７】
2012150305.tif 000009
【図８】
2012150305.tif 000010
【図９】
2012150305.tif 000011
【図１０】
2012150305.tif 000012
【図１１】
2012150305.tif 000013
【図１２】
2012150305.tif 000014
【図１３】
2012150305.tif 000015